(57)【要約】 【課題】  外部からガイダンス情報を撮影装置に簡単に取り込むことができる画像送受信システムを提供する。【解決手段】  撮影を行なう撮影装置の一つであるデジタルカメラ１と、そのデジタルカメラ１に切断自在に接続されてデジタルカメラ１から画像データを受け取る情報処理装置を実現するパーソナルコンピュータ２００とを備えた画像送受信システム１０００において、パーソナルコンピュータ２００にデジタルカメラ１を接続してそのデジタルカメラ１のガイダンスキーを押しながら電源をオンすると、パーソナルコンピュータ２００がデジタルカメラ１の使用方法を案内するためのフルスペックのガイダンス情報のうちの所要のガイダンス情報をデジタルカメラ１に送信し、デジタルカメラ１がそのガイダンス情報を受信して記憶する。【選択図】  図１
2008085853.tif 000002
【特許請求の範囲】
【請求項１】
撮影を行なう撮影装置と、該撮影装置に切断自在に接続されて該撮影装置から画像データを受け取る情報処理装置とを備えた画像送受信システムにおいて、
前記撮影装置が、撮影により得られた画像データを記憶しておく画像記憶部と、当該撮影装置が接続される前記情報処理装置に向けて前記画像記憶部に記憶されている画像データを送信する画像送信部と、該撮影装置の使用方法を案内するためのガイダンス情報を記憶する第１のガイダンス記憶部と、該第１のガイダンス記憶部に記憶されたガイダンス情報を読み出して当該撮影装置の使用方法を案内する使用方法案内部とを備え、
前記情報処理装置が、前記撮影装置の使用方法を案内するためのフルスペックのガイダンス情報を取得するガイダンス取得部と、前記ガイダンス取得部により取得されたフルスペックのガイダンス情報を記憶しておく第２のガイダンス記憶部と、当該情報処理装置に接続された撮影装置から画像データを取得するとともに前記第２のガイダンス記憶部に記憶されているフルスペックのガイダンス情報のうちの所要のガイダンス情報を該撮影装置に送る送受信部とを備え、
前記撮影装置が、当該撮影装置が接続された前記情報処理装置からガイダンス情報を受信して前記第１のガイダンス記憶部に記憶させるガイダンス受取部とを備えたことを特徴とする画像送受信システム。
【請求項２】
前記撮影装置が、当該撮影装置が接続された情報処理装置に向けて、前記第１のガイダンス記憶部の記憶内容を送信する記憶ガイダンス送信部を備え、
前記情報処理装置は、当該情報処理装置に接続された撮影装置から送信されてきた前記記憶内容に基づいて該撮影装置に送信すべき所要のガイダンス情報を選択するガイダンス選択部を備え、
前記送受信部は、当該情報処理装置に接続された撮影装置に向けて、前記ガイダンス選択部で選択された所要のガイダンス情報を送信するものであることを特徴とする請求項１記載の画像送受信システム。
【請求項３】
前記撮影装置が、操作履歴を記憶しておく操作履歴記憶部と、当該撮影装置が接続された情報処理装置に向けて、前記操作履歴記憶部の記憶内容を送信する操作履歴送信部を備え、
前記情報処理装置は、当該情報処理装置に接続された撮影装置から送信されてきた前記記憶内容に基づいて該撮影装置に送信すべき所要のガイダンス情報を選択するガイダンス選択部を備え、
前記送受信部は、当該情報処理装置に接続された撮影装置に向けて、前記ガイダンス選択部で選択された所要のガイダンス情報を送信するものであることを特徴とする請求項１記載の画像送受信システム。
【請求項４】
前記情報処理装置が、通信回線を介して、前記撮影装置の使用方法を案内するためのガイダンス情報の変更情報を受信する変更情報受信部と、該変更情報受信部で受信した変更情報に基づいて前記第２のガイダンス記憶部の記憶内容を変更するガイダンス変更部とを備えたことを特徴とする請求項１記載の画像送受信システム。
【発明の詳細な説明】
【技術分野】
【０００１】
本発明は、撮影を行なう撮影装置と、その撮影装置に切断自在に接続されてその撮影装置から画像データを受け取る情報処理装置とを備えた画像送受信システムに関する。
【背景技術】
【０００２】
従来より、ＣＣＤ（Ｃｈａｒｇｅ  Ｃｏｕｐｌｅｄ  Ｄｅｖｉｃｅ）タイプの固体撮像素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）タイプの固体撮像素子の発達に伴い、それまでの銀塩写真フィルム上に撮影を行なうタイプの撮影装置であるカメラに代わり、固体撮像素子上に被写体像を結像して画像信号を得るいわゆるデジタルカメラが急速に普及してきている。さらに、近年では、例えば携帯電話やＰＤＡ（Ｐｅｒｓｏｎａｌ  Ｄｉｇｉｔａｌ  Ａｓｓｉｓｔａｎｃｅ）といった携帯型機器の発達もあり、それらの携帯型機器にデジタルカメラの機能が組み込まれたタイプの撮影装置も普及してきている。このような、デジタルカメラやデジタルカメラの機能が組み込まれたタイプの撮影装置は益々多機能化する傾向にあり、これに伴い撮影装置に対するユーザ操作も複雑化する傾向にある。ここで、撮影装置に対するユーザ操作の支援のための技術がいくつか提案されている。
【０００３】
例えば、特許文献１には、デジタルカメラの使用方法を案内するためのガイダンス情報をパーソナルコンピュータから取得してメモリに記憶させておき、そのガイダンス情報を表示部に表示するデジタルカメラが提案されている。このデジタルカメラによれば、ユーザが取扱い説明書等を参照しなくても、簡単に操作を行なうことができる。
【０００４】
また、特許文献２には、ユーザが使用する言語（例えば日本語）で作成されたガイダンス情報のみを外部装置から取得してメモリに記憶し、その使用言語でガイダンスを表示するデジタルカメラが提案されている。このデジタルカメラによれば、メモリ容量を小さく抑えたまま、複数の言語で作成されたガイダンス情報に対応することができる。
【特許文献１】特開２００４−１２８８２０号公報
【特許文献２】特開２００４−１８６９４１号公報
【発明の開示】
【発明が解決しようとする課題】
【０００５】
上述した特許文献１に提案されたデジタルカメラでは、パーソナルコンピュータからガイダンス情報を取得するにあたり、デジタルカメラに設けられた各種の操作子を操作する必要がある。また、特許文献２に提案されたデジタルカメラにおいても、ユーザが使用する言語で作成されたガイダンス情報のみを外部装置から取得するにあたり、デジタルカメラに設けられた操作部を複数回操作する必要がある。ここで、前述したように、デジタルカメラ等の撮影機器の益々の多機能化に伴い、撮影装置に対するユーザ操作は複雑化する傾向にある。このため、ユーザにとって、撮影装置を支援するためのガイダンス情報を外部から取得するための操作自体が困難であるという問題がある。
【０００６】
本発明は、上記事情に鑑み、外部からガイダンス情報を撮影装置に簡単に取り込むことができる画像送受信システムを提供することを目的とする。
【課題を解決するための手段】
【０００７】
上記目的を達成する本発明の画像送受信システムは、撮影を行なう撮影装置と、その撮影装置に切断自在に接続されてその撮影装置から画像データを受け取る情報処理装置とを備えた画像送受信システムにおいて、
上記撮影装置が、撮影により得られた画像データを記憶しておく画像記憶部と、その撮影装置が接続される上記情報処理装置に向けて上記画像記憶部に記憶されている画像データを送信する画像送信部と、その撮影装置の使用方法を案内するためのガイダンス情報を記憶する第１のガイダンス記憶部と、その第１のガイダンス記憶部に記憶されたガイダンス情報を読み出してその撮影装置の使用方法を案内する使用方法案内部とを備え、
上記情報処理装置が、上記撮影装置の使用方法を案内するためのフルスペックのガイダンス情報を取得するガイダンス取得部と、上記ガイダンス取得部により取得されたフルスペックのガイダンス情報を記憶しておく第２のガイダンス記憶部と、その情報処理装置に接続された撮影装置から画像データを取得するとともに上記第２のガイダンス記憶部に記憶されているフルスペックのガイダンス情報のうちの所要のガイダンス情報をその撮影装置に送る送受信部とを備え、
上記撮影装置が、その撮影装置が接続された上記情報処理装置からガイダンス情報を受信して上記第１のガイダンス記憶部に記憶させるガイダンス受取部とを備えたことを特徴とする。
【０００８】
本発明の画像送受信システムは、撮影装置がその撮影装置の使用方法を案内するためのガイダンス情報を記憶する第１のガイダンス記憶部を備えるとともに、情報処理装置がその撮影装置の使用方法を案内するためのフルスペックのガイダンス情報を記憶する第２のガイダンス記憶部を備え、その撮影装置にその情報処理装置が接続されると、その撮影装置がその情報処理装置からフルスペックのガイダンス情報のうちの所要のガイダンス情報を受信してその撮影装置の使用方法を案内するものである。このため、ユーザは、撮影装置に情報処理装置から所要のガイダンス情報を取り込むにあたり、例えば実施形態で説明するように、撮影装置に情報処理装置を接続し、その撮影装置に設けられた特定の操作子を押した状態で電源をオンするだけで済む。従って、ユーザは撮影装置上で複雑な操作を行なう必要はなく、情報処理装置から所要のガイダンス情報を撮影装置に簡単に取り込むことができる。
【０００９】
ここで、上記撮影装置が、その撮影装置が接続された情報処理装置に向けて、上記第１のガイダンス記憶部の記憶内容を送信する記憶ガイダンス送信部を備え、
上記情報処理装置は、その情報処理装置に接続された撮影装置から送信されてきた上記記憶内容に基づいてその撮影装置に送信すべき所要のガイダンス情報を選択するガイダンス選択部を備え、
上記送受信部は、その情報処理装置に接続された撮影装置に向けて、上記ガイダンス選択部で選択された所要のガイダンス情報を送信するものであることが好ましい。
【００１０】
尚、上記第１のガイダンス記憶部の記憶内容としては、ガイダンス情報そのものでなくてもよく、例えば言語情報やガイダンスの項目等であってもよい。このような記憶内容を撮影装置から情報処理装置に送信し、その情報処理装置においてその記憶内容に基づいて所要のガイダンス情報を選択して撮影装置に送信すると、撮影装置内のメモリを小さく抑えたまま、複数のガイダンス情報，複数の言語で作成されたガイダンス情報，複数のガイダンスの項目等に対応することができる。
【００１１】
また、上記撮影装置が、操作履歴を記憶しておく操作履歴記憶部と、その撮影装置が接続された情報処理装置に向けて、上記操作履歴記憶部の記憶内容を送信する操作履歴送信部を備え、
上記情報処理装置は、その情報処理装置に接続された撮影装置から送信されてきた上記記憶内容に基づいてその撮影装置に送信すべき所要のガイダンス情報を選択するガイダンス選択部を備え、
上記送受信部は、その情報処理装置に接続された撮影装置に向けて、上記ガイダンス選択部で選択された所要のガイダンス情報を送信するものであることも好ましい態様である。
【００１２】
このようにすると、撮影装置において所定回数（例えば５０回）以上所要のガイダンス情報の操作を行なった場合、その撮影装置ではユーザは操作に習熟したと見なし、その所要のガイダンス情報を第１のガイダンス記憶部から削除したり表示の際に省略することができる。従って、ユーザの感じる煩わしさを軽減することができる。また、撮影装置と情報処理装置との再度の接続時に、その撮影装置に備えられた第１のガイダンス記憶部に記憶されている上記所要のガイダンス情報を新たなガイダンス情報（例えば、より高度な使用方法を案内するためのガイダンス情報）と入れ替えることもできる。
【００１３】
さらに、上記情報処理装置が、通信回線を介して、上記撮影装置の使用方法を案内するためのガイダンス情報の変更情報を受信する変更情報受信部と、その変更情報受信部で受信した変更情報に基づいて上記第２のガイダンス記憶部の記憶内容を変更するガイダンス変更部とを備えたことも好ましい。
【００１４】
このようにすると、撮影装置の使用方法を案内するためのガイダンス情報が変更された場合であっても、その変更されたガイダンス情報を撮影装置に送信することができる。従って、撮影装置に最新のガイダンス情報を取り込むことができる。
【発明の効果】
【００１５】
本発明の画像送受信システムによれば、外部からガイダンス情報を撮影装置に簡単に取り込むことができる。
【発明を実施するための最良の形態】
【００１６】
以下、本発明の実施形態について説明する。
【００１７】
図１は、本発明の第１実施形態の画像送受信システムを示す図である。
【００１８】
図１に示す画像送受信システム１０００には、撮影を行なうデジタルカメラ１（本発明の撮影装置の第１実施形態に相当）と、このデジタルカメラ１に切断自在に接続されてそのデジタルカメラ１から画像データを受け取るパーソナルコンピュータ２００（本発明の情報処理装置の第１実施形態に相当）とが備えられている。
【００１９】
デジタルカメラ１の詳細については後述するが、このデジタルカメラ１には、ＵＳＢケーブル３００のＵＳＢコネクタ３０１が接続されるＵＳＢ接続部１７０が備えられている。
【００２０】
また、図１には、ＵＳＢケーブル３００のＵＳＢコネクタ３０２と接続されるＵＳＢ接続部２１４を有し、その接続部２１４へのデジタルカメラ１の、ＵＳＢコネクタ３０２による接続を受け、さらに所定の操作によりデジタルカメラ１から画像データを取り込むパーソナルコンピュータ２００が示されている。このパーソナルコンピュータ２００は、本体部２１０と、表示画面２２０ａを備えた画像表示装置２２０と、キーボード２３０と、マウス２４０とを有する。本体部２１０には、詳細は後述するが、ＣＰＵ（中央処理装置）、主メモリ（ランダムアクセスメモリ）、ハードディスク、通信Ｉ／Ｆ等が内蔵されている。また、この本体部２１０は、ＣＤ−ＲＯＭが装填されるＣＤ−ＲＯＭ装填口２１１と、フレキシブルディスクが装填されるフレキシブルディスク装填口２１２を有しており、それらの内部には、それらの装填口２１１，２１２から装填されたＣＤ−ＲＯＭやフレキシブルディスクをドライブしてアクセスするＣＤ−ＲＯＭドライブやフレキシブルディスクドライブが内蔵されている。さらに、この本体部２１０は、電源スイッチ２１３を有する。
【００２１】
図２は、図１に示すデジタルカメラを上方から見た上面図（図２（ａ））、正面から見た正面図（図２（ｂ））、および背面から見た背面図（図２（ｃ））である。
【００２２】
このデジタルカメラ１は、図２（ａ），図２（ｂ）に示すようにカメラボディ１ａの中央にレンズ鏡胴１０が配備されている。また、このカメラボディ１ａの上面にはパワーボタン１１が配備されており、このパワーボタン１１が操作されたら、図２（ａ），図２（ｂ）に示すようにレンズ鏡胴１０が繰出されて撮影準備が整えられるようになっている。
【００２３】
さらに、カメラボディ１ａ上面には、電源投入用のパワーボタン１１のほか、レリーズボタン１２とそのレリーズボタン１２の廻りに撮影モードダイヤル１２＿１とが配備されており、この撮影モードダイヤル１２＿１がＡＵＴＯに切り替えられているときにレリーズボタン１２が押されて撮影が行なわれるときにはデジタルカメラ１内部に自動的に撮影条件が設定されて撮影が行なわれる。また、この撮影モードダイヤル１２＿１が動画撮影モード（符号Ｍ）に切り替えられると、動画撮影が行なわれるようになり、シーンポジション（符号ＳＰ）側に切り替えられると、撮影シーンに応じた撮影条件がデジタルカメラ１内部に自動的に設定されて撮影が行なわれるようになる。
【００２４】
また、図２（ｃ）に示すように、カメラボディ１ａの背面側には、液晶モニタ１３が設けられており、撮影モード時には、この液晶モニタ１３上に被写体が表示されたり、メニューが表示されたりする。この撮影モードにあるときに液晶モニタ１３の脇にある再生ボタン１４が一度押されると、再生モードに切り替わり既撮影画像が液晶モニタ１３上に表示され、この再生ボタン１４が再度押されると、撮影モードに切り替わりスルー画像が液晶モニタ１３上に表示される。また、液晶モニタ１３上には、デジタルカメラ１の使用方法を案内するためのガイダンス情報も表示される。
【００２５】
さらに、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００２６】
また、そのＦボタン１５の下方には、上キー１６ａ，下キー１６ｂ，左キー１６ｃ，右キー１６ｄを有する十字キー１６およびＯＫ／メニューボタン１７が配備されている。これら十字キー１６やＯＫ／メニューボタン１７の操作により、セットアップメニューに切り替えて日時の設定や画像表示を行なうか否かの設定等を行なったり、撮影メニューに切り替えて連写，セルフタイマ等を選択したりすることができる。また、詳細は後述するが、上キー１６ａ，下キー１６ｂを押すことにより、液晶モニタ１３上に表示されるガイダンス情報の内容を一つ進めたり一つ戻したりする操作であるコマ送り操作を行なうことができる。
【００２７】
さらに、Ｆボタン１５の上方にはズームスイッチ１８が配備されるとともに、十字キー１６の下方には液晶モニタ１３の表示を切り換えたり操作を途中でやめるときなどに使用されるＤＳＰ／ＢＡＣＫボタン２１が配備されている。
【００２８】
また、図２（ｂ）に示すカメラボディ１ａの正面には測光センサ１９０や閃光発光窓１９１が配備されており、閃光発光が必要な場合にはその閃光発光窓１９１から閃光が被写体に向けて発光されるようになっている。また、図２（ｂ）に示すカメラボディ１ａの下部には音声を録音するためのマイクロフォン１５０が配備されるとともに、カメラボディ１ａの側面には前述したＵＳＢ接続部１７０およびこのデジタルカメラ１内に記憶されている画像データに基づく画像をＴＶモニタ上に表示するためのＴＶモニタ端子１６０が設けられている。また、図２（ｃ）に示すカメラボディ１ａの底面には、スピーカ１８０が配備されている。
【００２９】
さらに、図２（ｃ）に示すカメラボディ１ａの、液晶モニタ１３の下部には、後述するガイダンスキー２２が備えられている。
【００３０】
図３は、図１に示すデジタルカメラの内部構成を示す図である。
【００３１】
このデジタルカメラ１には、パワーボタン１１が操作されて電源が投入されると開放するレンズバリア１０１１と、そのレンズバリア１０１１の状態を検知するバリアセンサ１０１１ａと、レンズバリア１０１１を駆動するモータ１０１２と、そのモータ１０１２を駆動する駆動回路であるドライバ１０１３とが備えられている。
【００３２】
また、このデジタルカメラ１には、撮影レンズ１０１ａと、その撮影レンズ１０１ａの動きを検知するセンサ１０１ｂと、撮影レンズ１０１ａを駆動するモータ１０１ｃと、そのモータ１０１ｃを駆動する駆動回路であるドライバ１０１ｄとが備えられている。
【００３３】
さらに、このデジタルカメラ１には、撮影レンズ１０１ａを経由してきた被写体光を捉える固体撮像素子であるＣＣＤ１１０が備えられている。このＣＣＤ１１０には、入射された被写体光を電気信号である画像信号に変換するフォトダイオード等の光電変換素子が多数個備えられている。
【００３４】
また、デジタルカメラ１には、プログラム記憶部１００＿１と、内蔵メモリ１００＿２と、ガイダンス情報記憶部１００＿３とを有するＣＰＵ１００が備えられている。
【００３５】
プログラム記憶部１００＿１には、このデジタルカメラ１全体の制御を行なうためのプログラムが記憶されており、このプログラム記憶部１００＿１に記憶されているプログラムの手順にしたがってデジタルカメラ１全体の動作が制御される。尚、このプログラム記憶部１００＿１には、このプログラムのバージョンを示す値（例えば、Ｖｅｒ．１．００というような文字列）も記憶されている。この値は、プログラムが変更される度に、例えばＶｅｒ．１．００→Ｖｅｒ．１．０１のように変更管理されている。
【００３６】
内蔵メモリ１００＿２は、作業領域用のメモリとして使用される。
【００３７】
ガイダンス情報記憶部１００＿３は、本発明にいう第１のガイダンス記憶部に相当するものであり、このガイダンス情報記憶部１００＿３には、デジタルカメラ１の使用方法を案内するためのガイダンス情報が記憶される。ここで、ＣＰＵ１００は、ガイダンス情報記憶部１００＿３に記憶されたガイダンス情報を読み出してデジタルカメラ１の使用方法を案内する、本発明にいう使用方法案内部の役割を担うものである。
【００３８】
さらに、デジタルカメラ１には、ＣＣＤ１１０から出力されたアナログ画像信号の雑音を低減する処理等を行なうＣＤＳＡＭＰ１１１と、その処理等が施されたアナログ画像信号をデジタル画像信号にアナログ／デジタル変換するＡ／Ｄ変換部１１２と、Ａ／Ｄ変換部１１２でデジタル画像信号に変換されたＲＧＢからなる画像データに対して、ＹＣ信号への変換を行なう画像処理プロセスを実行する画像信号処理回路１１３と、画像処理プロセスが終了した時点でＪＰＥＧプロセスを実行して画像データの圧縮を行なったり圧縮された画像データの伸張を行なったりする圧縮・伸張処理回路１１４と、撮影により得られた画像データを記憶しておく記憶メディア１４０（本発明にいう画像記憶部の一例に相当）と、その記憶メディア１４０に記憶するための制御を行なうメディアコントロール回路１１５とが備えられている。
【００３９】
さらに、デジタルカメラ１には、スルー画像や記憶メディア１４０に記憶されている既撮影画像データに基づく既撮影画像を液晶モニタ１３に再生表示するための画像処理を行なう画像再生処理回路１１７が備えられている。
【００４０】
また、デジタルカメラ１には、画像再生処理回路１１７で処理された画像データをビデオ信号に変換して前述したＴＶモニタ端子１６０に導くためのビデオエンコーダ１１８と、画像再生処理回路１１７で処理された画像データを液晶モニタ１３に導くための液晶ドライブ回路１０９とが備えられている。ここで、既撮影画像の再生表示を行なう場合には、まず一番新しい撮影により得た画像データに基づく既撮影画像を液晶モニタ１３上に表示するようにしておいて、さらに十字キー１６の操作に応じてコマ送りしながら既撮影画像を次々と表示していく。このような操作を行なって次々と画像を切り替えていくことで自分の見たい画像の画像検索などを簡単に行なうことができる。またコマ送りを行って既撮影画像を表示しているときにはその既撮影画像の撮影日付が表示画面上に表示されるので画像検索とともに撮影日付などの確認なども行なうことができる。
【００４１】
さらに、デジタルカメラ１には、画像のピント情報を検出するＡＦ検出回路１３０と、画像の輝度情報と白色バランス情報を検出するＡＥ＆ＷＢ検出部１３１と、図１にも示すマイクロフォン１５０と、そのマイクロフォン１５０からの音声を処理してデジタルの音声データに変換したりデジタルの音声データを音声再生回路１１９に出力する音声処理回路１１６と、音声処理回路１１６からの信号に基づいて音声を再生してスピーカ１８０に送出する音声再生回路１１７とが備えられている。
【００４２】
また、デジタルカメラ１には、ＵＳＢ通信回路１２０と、前述したＵＳＢ端子１７０が備えられている。ＵＳＢ通信回路１２０は、このデジタルカメラ１が接続されるパーソナルコンピュータ２００に向けて記憶メディア１４０に記憶されている画像データを送信する本発明にいう画像送信部の役割を担うものである。また、このＵＳＢ通信回路１２０は、このデジタルカメラ１が接続されたパーソナルコンピュータ２００からガイダンス情報を受信してガイダンス情報記憶部１００＿３に記憶させる本発明にいうガイダンス受取部の役割を担うものでもある。
【００４３】
また、この図３には、前述したパワーボタン１１，レリーズボタン１２，撮影モードダイヤル１２＿１，再生ボタン１４，Ｆボタン１５，十字キー１６，ＯＫ／メニューボタン１７，ズームスイッチ１８，ＤＳＰ／ＢＡＣＫボタン２１からなる操作子群１０＿１００と、後述するガイダンスキー２２とが示されている。
【００４４】
ここで、デジタルカメラ１の動作について簡単に説明する。このデジタルカメラ１の動作は統括的にＣＰＵ１００により制御される。このＣＰＵ１００内にはプログラム記憶部１００＿１が内蔵されており、その内蔵されたプログラム記憶部１００＿１内にプログラムが記憶されている。このプログラムの手順にしたがってデジタルカメラ１全体の動作がＣＰＵ１００により制御される。また、内蔵メモリ１００＿２には、プログラム記憶部１００＿１に記憶されているプログラムの手順にしたがってＣＰＵ１００がこのデジタルカメラ１全体を制御しているときに、処理中の画像データが一時的に格納されたりする。
【００４５】
ＣＰＵ１００は撮影レンズ１０１ａを経由した被写体光をＣＣＤ１１０で捉え、そのＣＣＤ１１０で生成される画像データを所定の間隔ごとにＣＤＳＡＭＰ１１１側へ出力させ、Ａ／Ｄ変換部１１２，画像信号処理回路１１３，画像再生処理回路１１７で表示可能な画像データに変換して液晶ドライブ回路１０９を経由してスルー画像を液晶モニタ１３の画面上に表示させる。そのスルー画像に基づいて任意にフレーミングが行なわれ、ＡＦ検出回路１３０が絶えず撮影レンズ１０１ａを構成するフォーカスレンズを前後させ合焦点検出を行なってフレーミングの中央に焦点のあった画像をＣＣＤ１１０に結像させる。このときにはＡＥ＆ＷＢ検出回路１３１によって被写界輝度が検出され、その検出結果に基づいて絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを所定の間隔ごとにＣＤＳＡＭＰ１１１へ出力させ、後段でスルー画像を得ている。撮影者はこのスルー画像を見ながらフレーミングを行ない、シャッタチャンスにレリーズ操作を行なう。
【００４６】
レリーズ操作が行なわれると、ＣＰＵ１００は、ＣＣＤ１１０にレリーズ操作時の画像を結像させるため、図示しないタイミングジェネレータからタイミング信号を供給させる。このタイミング信号はＣＣＤ１１０に露光開始および露光終了を告げるものでありいわゆるシャッタスピードに相当する。ＣＰＵ１００はこの露光終了時にＣＣＤ１１０から画像データ（ＲＧＢの光の３原色Ｒ，Ｇ、Ｂからなる画像データ）を出力させ、後段のＣＤＳＡＭＰ１１１に供給させる。さらに、ＣＤＳＡＭＰ１１１でそのＣＣＤ１１０から出力された画像データの雑音が低減され、その雑音が低減された画像データがＡ／Ｄ変換部１１２でデジタル信号に変換される。このＡ／Ｄ変換部１１２でデジタル信号に変換されたＲＧＢからなる画像データは、後段の画像信号処理回路１１３によりデータバスを介して内蔵メモリ１００＿２に供給され、この内蔵メモリ１００＿２にＣＣＤ１１０のすべての画素の画像データが記憶される。すべての画素データに対応する画像データが内蔵メモリ１００＿２に記憶されると、ＣＰＵ１００が画像信号処理回路１１３の画像処理プロセスを起動させ、その画像処理プロセスによって内蔵メモリ１００＿２の画像データを読み出させ、ＹＣ信号への変換を行なわせる。さらに、この画像信号処理回路１１３の画像処理プロセスが終了したことをＣＰＵ１００が検知すると、ＣＰＵ１００は圧縮・伸張処理回路１１４のＪＰＥＧプロセスを起動させ、ＪＰＥＧプロセスによって画像データの圧縮を行なわせる。この圧縮・伸張処理回路１１４での圧縮が完了したことをＣＰＵ１００が検知すると、ＣＰＵ１００は次に記憶処理プロセスを起動させ、ＪＰＥＧ圧縮された画像データを、メディアコントロール回路１１５を介して記憶メディア１４０に記録させる。以上が、デジタルカメラ１の動作の概略である。
【００４７】
次に、図１に示すパーソナルコンピュータ２００について説明する。
【００４８】
図４は、図１に示すパーソナルコンピュータの概略回路ブロックを示す図である。
【００４９】
図４に示すパーソナルコンピュータ２００には、図１に示す本体部２１０を構成する、各種プログラムを実行するＣＰＵ２０１、ハードディスク装置２０３に格納されたプログラムが読み出されＣＰＵ２０１での実行のために展開される主メモリ２０２、各種プログラムや画像データ等が保存されたハードディスク装置２０３、フレキシブルディスク２０４＿１が装填され、その装填されたフレキシブルディスク２０４＿１をアクセスするフレキシブルディスクドライブ２０４、ＣＤ−ＲＯＭ２０５＿１をアクセスするＣＤ−ＲＯＭドライブ２０５、デジタルカメラ１と接続され、図１に示すＵＳＢ接続部２１４を有する通信Ｉ／Ｆ２０６、および図１に示す表示画面２２０ａを備えた画像表示装置２２０，キーボード２３０，マウス２４０が備えられている。これらはバス２１５を介して相互に接続されている。
【００５０】
本実施形態では、デジタルカメラ１の使用方法を案内するためのフルスペックのガイダンス情報は、ＣＤ−ＲＯＭ２０５＿１（本発明にいうガイダンス取得部に相当）から取得する。尚、デジタルカメラ１の使用方法を案内するためのフルスペックのガイダンス情報は、インターネットから取得してもよい。取得されたフルスペックのガイダンス情報は、ハードディスク装置２０３のガイダンス記憶部２０３ａ（本発明にいう第２のガイダンス記憶部の一例に相当）に記憶される。
【００５１】
また、ＵＳＢ通信装置２０６は、このパーソナルコンピュータ２００に接続されたデジタルカメラ１から画像データを取得するとともに上記ガイダンス記憶部２０３ａに記憶されているフルスペックのガイダンス情報のうちの所要のガイダンス情報をデジタルカメラ１に送る、本発明にいう送受信部の役割を担うものである。
【００５２】
図５は、図１に示す画像送受信システムにおいて、ユーザがデジタルカメラを購入して最初に使用する前に行なわれる手順を示す図である。
【００５３】
先ず、ステップＳ１において、パーソナルコンピュータ２００（ＰＣと略記する）を起動する。次に、ステップＳ２において、添付のＣＤ−ＲＯＭ２０５＿１をＣＤ−ＲＯＭドライブ２０５に挿入する。すると、ステップＳ３において、ＣＤ−ＲＯＭインストーラが起動して、フルスペックのガイダンス情報がハードディスク装置２０３のガイダンス記憶部２０３ａに記憶される。
【００５４】
さらに、ステップＳ４において、デジタルカメラ１（機器と略記する）をＵＳＢケーブル３００でＰＣに接続する。次いで、ステップＳ５において、ガイダンスキー２２（図１参照）を押した状態で機器の電源をオンにする。
【００５５】
ステップＳ６では、機器とＰＣとの通信が可能になったか否かが判定される。機器とＰＣとの通信が可能になっていないと判定された場合は、ステップＳ６が繰り返し実行される。一方、機器とＰＣとの通信が可能になったと判定された場合は、ステップＳ７に進む。
【００５６】
ステップＳ７では、ＰＣから所要のガイダンス情報を機器に導入する。具体的には、ＰＣが機器本体の言語設定を読み取って、その機器に転送するガイダンス情報の言語セットを用意する。その後、ＰＣのガイダンス記憶部２０３ａに記憶されているフルスペックのガイダンス情報のうちの上記ガイダンス情報（所要のガイダンス情報：例えば日本語のガイダンス情報）を、機器のガイダンス情報記憶部１００＿３に書き込む（ダウンロードする）。
【００５７】
次いで、ステップＳ８において、共通のアプリケーション等をＰＣへ導入する。さらに、ステップＳ９においてインストールを終了し、ステップＳ１０において機器の接続を解除する。次いで、ステップＳ１１において、ユーザに対して導入完了案内を行なってこの手順を終了する。
【００５８】
図６は、図３に示すデジタルカメラの、ガイダンス情報を見る際の操作手順を示す図である。
【００５９】
図６には、図５に示す手順でダウンロードされた後、初めて機器に電源が投入されてガイダンスキー２２が押されると、ガイダンス情報が表示できるようにガイダンス表示モードに設定され、その後上キー１６ａ，下キー１６ｂ（図１参照）の操作によりガイダンスが液晶モニタ１３に表示される手順が示されている。尚、ここでは、再生モードにおける操作手順の例を示すが、撮影モードにおいても同様の操作手順を実現することができる。
【００６０】
先ず、ステップＳ２１において、機器の電源をオンする。次に、ステップＳ２２において、再生モードか否かが判定される。再生モードではないと判定された場合はステップＳ２３に進み、撮影モードに移行する。尚、撮影モードにおける撮影処理については説明を省略する。
【００６１】
再生モードであると判定された場合はステップＳ２４に進み、再生モードに移行する。次に、ステップＳ２５において、ガイダンスキー２２が押されたか否かが判定される。ガイダンスキー２２が押されたと判定された場合は、後述するステップＳ３０に進む。一方、ガイダンスキー２２が押されていないと判定された場合は、ステップＳ２６に進む。
【００６２】
ステップＳ２６では、上キー１６ａが押されたか否かが判定される。上キー１６ａが押されたと判定された場合は、ステップＳ２７に進む。ステップＳ２７では、液晶モニタ１３上に表示されているコマ（既撮影画像）を一つ進めてステップＳ２２に戻る。一方、上キー１６ａが押されていないと判定された場合は、ステップＳ２８に進む。
【００６３】
ステップＳ２８では、下キー１６ｂが押されたか否かが判定される。下キー１６ｂが押されたと判定された場合は、ステップＳ２９に進む。ステップＳ２９ではコマを一つ戻してステップＳ２２に戻る。一方、下キー１６ｂが押されていないと判定された場合は、そのままステップＳ２２に戻る。
【００６４】
ここで、上述したステップＳ２５においてガイダンスキー２２が押されたと判定されてステップＳ３０に進んだ場合は、このステップＳ３０においてガイダンス表示モードに移行する。
【００６５】
さらに、ステップＳ３１に進み、このステップＳ３１において、上キー１６ａが押されたか否かが判定される。上キー１６ａが押されたと判定された場合はステップＳ３２に進む。ステップＳ３２では、液晶モニタ１３上に表示されているガイダンスを送ってステップＳ３３に進む。一方、上キー１６ａが押されていないと判定された場合はそのままステップＳ３３に進む。
【００６６】
ステップＳ３３では、下キー１６ｂが押されたか否かが判定される。下キー１６ｂが押されたと判定された場合はステップＳ３４に進む。ステップＳ３４ではガイダンスを戻してステップＳ３５に進む。一方、下キー１６ｂが押されていないと判定された場合はそのままステップＳ３５に進む。
【００６７】
ステップＳ３５では、ガイダンスキー２２が押されたか否かが判定される。ガイダンスキー２２が押されていないと判定された場合はステップＳ３１に戻る。一方、ガイダンスキー２２が押されたと判定された場合はステップＳ３６に進む。
【００６８】
ステップＳ３６では、ガイダンスを消去しガイダンス表示モードから抜けてステップＳ２２に戻る。
【００６９】
本発明の画像送受信システム１０００は、デジタルカメラ１がそのデジタルカメラ１の使用方法を案内するためのガイダンス情報を記憶するガイダンス情報記憶部１００＿３を備えるとともに、パーソナルコンピュータ２００がデジタルカメラ１の使用方法を案内するためのフルスペックのガイダンス情報を記憶するガイダンス記憶部２０３ａを備え、デジタルカメラ１にパーソナルコンピュータ２００が接続されると、デジタルカメラ１がパーソナルコンピュータ２００からフルスペックのガイダンス情報のうちの所要のガイダンス情報を受信してデジタルカメラ１の使用方法を案内するものである。このため、ユーザは、デジタルカメラ１にパーソナルコンピュータ２００から所要のガイダンス情報を取り込むにあたり、上述したように、デジタルカメラ１にパーソナルコンピュータ２００を接続し、デジタルカメラ１に設けられたガイダンスキー２２を押した状態で電源をオンするだけで済む。従って、ユーザはデジタルカメラ１上で複雑な操作を行なう必要はなく、パーソナルコンピュータ２００から所要のガイダンス情報をデジタルカメラ１に簡単に取り込むことができる。
【００７０】
次に、本発明の第２実施形態の画像送受信システムについて説明する。
【００７１】
図７は、本発明の第２実施形態の画像送受信システムを構成するデジタルカメラを上方から見た上面図（図７（ａ））、正面から見た正面図（図７（ｂ））、および背面から見た背面図（図７（ｃ））である。
【００７２】
図７に示すデジタルカメラ２は、本発明の撮影装置の第２実施形態に相当するものであり、このデジタルカメラ２は、図２に示すデジタルカメラ１と比較し、図７（ｃ）に示すカメラボディ１ａの、液晶モニタ１３の下部に、言語設定キー２３が追加されている点が異なっている。このデジタルカメラ２では、後述するように、言語設定キー２３が押される度に「日本語→英語→独語→日本語…」という順に言語設定が切り替わり、その設定はＣＰＵ１００の内蔵メモリ１００＿２に記憶され、電源が切られても保持される。
【００７３】
図８は、図７に示すデジタルカメラの内部構成を示す図である。
【００７４】
図８に示すデジタルカメラ２の内部構成は、図２に示すデジタルカメラ１の内部構成と比較し、上述したように言語設定キー２３が追加されている点が異なっている。また、ＵＳＢ通信回路１２０は、デジタルカメラ２が接続されたパーソナルコンピュータ３００（図９参照）に向けて、ガイダンス情報記憶部１００＿３の記憶内容を送信する、本発明にいう記憶ガイダンス送信部の役割を担っている。
【００７５】
図９は、本発明の第２実施形態の画像送受信システムを構成するパーソナルコンピュータの概略回路ブロックを示す図である。
【００７６】
図９に示すパーソナルコンピュータ３００は、本発明の情報処理装置の第２実施形態に相当するものであり、このパーソナルコンピュータ３００には、パーソナルコンピュータ３００に接続されたデジタルカメラ２から送信されてきた記憶内容に基づいて、デジタルカメラ２に送信すべき所要のガイダンス情報を選択するガイダンス選択部２０７が備えられている。尚、ここでは、パーソナルコンピュータ３００にガイダンス選択部２０７を備えた例で説明するが、このガイダンス選択部２０７を、ＣＰＵ２０１とハードディスク装置２０３に格納された制御プログラムとの組合せで実現してもよい。
【００７７】
また、ＵＳＢ通信装置２０６は、パーソナルコンピュータ３００に接続されたデジタル回路２に向けて、ガイダンス選択部２０７で選択された所要のガイダンス情報を送信する。
【００７８】
図１０は、本発明の第２実施形態の画像送受信システムにおいて、ユーザがデジタルカメラを購入して最初に使用する前に行なわれる手順を示す図である。
【００７９】
先ず、ステップＳ４１において、パーソナルコンピュータ３００（ＰＣと略記する）を起動する。次に、ステップＳ４２において、添付のＣＤ−ＲＯＭ２０５＿１をＣＤ−ＲＯＭドライブ２０５に挿入する。すると、ステップＳ４３において、ＣＤ−ＲＯＭインストーラが起動して、フルスペックのガイダンス情報がハードディスク装置２０３のガイダンス記憶部２０３ａに記憶される。
【００８０】
さらに、ステップＳ４４において、デジタルカメラ２（機器と略記する）をＵＳＢケーブルでＰＣに接続する。次いで、ステップＳ４５において、言語設定キー２３（図７参照）をオン状態にしたまま機器の電源をオンにする。
【００８１】
ステップＳ４６では、機器とＰＣとの通信が可能になったか否かが判定される。機器とＰＣとの通信が可能になっていないと判定された場合は、ステップＳ４６が繰り返し実行される。一方、機器とＰＣとの通信が可能になったと判定された場合は、ステップＳ４７に進む。
【００８２】
ステップＳ４７では、ＰＣが機器の言語設定を取得し、ステップＳ４８に進む。
【００８３】
ステップＳ４８では、日本語か否かが判定される。日本語であると判定された場合は、ステップＳ４９において日本語ガイダンスを機器に導入して後述するステップＳ５３に進む。一方、日本語でないと判定された場合は、ステップＳ５０に進む。
【００８４】
ステップＳ５０では、英語か否かが判定される。英語であると判定された場合は、ステップＳ５１において英語ガイダンスを機器に導入してステップＳ５３に進む。一方、英語でないと判定された場合は、ステップＳ５２に進む。
【００８５】
ステップＳ５２では独語ガイダンスを機器に導入して、ステップＳ５３に進む。
【００８６】
ステップＳ５３では、共通のアプリケーション等をＰＣへ導入する。さらに、ステップＳ５４においてインストールを終了し、ステップＳ５５において機器の接続を解除する。次いで、ステップＳ５６において、ユーザに対して導入完了案内を行なってこの手順を終了する。
【００８７】
図１１は、図８に示すデジタルカメラの、ガイダンス言語を設定する際の操作手順を示す図である。
【００８８】
先ず、ステップＳ６１において、機器の電源をオンする。次に、ステップＳ６２において、再生モードか否かが判定される。再生モードではないと判定された場合はステップＳ６３に進み、撮影モードに移行する。尚、撮影モードにおける撮影処理については説明を省略する。
【００８９】
一方、再生モードであると判定された場合はステップＳ６４に進み、再生モードに移行する。次に、ステップＳ６５において、ガイダンスキー２２が押されたか否かが判定される。ガイダンスキー２２が押されたと判定された場合は、後述するステップＳ７０に進む。一方、ガイダンスキー２２が押されていないと判定された場合は、ステップＳ６６に進む。
【００９０】
ステップＳ６６では、上キー１６ａが押されたか否かが判定される。上キー１６ａが押されたと判定された場合は、ステップＳ６７に進む。ステップＳ６７ではコマを一つ進めてステップＳ６２に戻る。一方、上キー１６ａが押されていないと判定された場合は、ステップＳ６８に進む。
【００９１】
ステップＳ６８では、下キー１６ｂが押されたか否かが判定される。下キー１６ｂが押されたと判定された場合は、ステップＳ６９に進む。ステップＳ６９ではコマを一つ戻してステップＳ６２に戻る。一方、下キー１６ｂが押されていないと判定された場合は、そのままステップＳ６２に戻る。
【００９２】
ここで、上述したステップＳ６５においてガイダンスキー２２が押されたと判定されてステップＳ７０に進んだ場合は、このステップＳ７０においてガイダンス表示モードに移行する。
【００９３】
さらに、ステップＳ７１に進み、このステップＳ７１において、言語が未設定か否かが判定される。言語が未設定であると判定された場合はステップＳ７２に進む。ステップＳ７２では、言語を日本語に設定してステップＳ７３に進む。
【００９４】
ステップＳ７３では、言語設定キー２３が押されたか否かが判定される。言語設定キー２３が押されていないと判定された場合は後述するステップＳ７８に進む。一方、言語設定キー２３が押されたと判定された場合は、ステップＳ７４に進む。ステップＳ７４では、言語を英語に設定してステップＳ７５に進む。
【００９５】
ステップＳ７５では、言語設定キー２３が押されたか否かが判定される。言語設定キー２３が押されていないと判定された場合はステップＳ７８に進む。一方、言語設定キー２３が押されたと判定された場合は、ステップＳ７６に進む。ステップＳ７６では、言語を独語に設定してステップＳ７７に進む。
【００９６】
ステップＳ７７においても、言語設定キー２３が押されたか否かが判定される。言語設定キー２３が押されていないと判定された場合はステップＳ７８に進む。一方、言語設定キー２３が押されたと判定された場合は、ステップＳ７２に戻る。
【００９７】
ステップＳ７８では、言語設定と導入言語とが一致しているか否かが判定される。言語設定と導入言語とが一致していると判定された場合はステップＳ７９に進む。
【００９８】
ステップＳ７９では、上キー１６ａが押されたか否かが判定される。上キー１６ａが押されたと判定された場合はステップＳ８０に進む。ステップＳ８０ではガイダンスを送ってステップＳ８１に進む。一方、上キー１６ａが押されていないと判定された場合はそのままステップＳ８１に進む。
【００９９】
ステップＳ８１では、下キー１６ｂが押されたか否かが判定される。下キー１６ｂが押されたと判定された場合はステップＳ８２に進む。ステップＳ８２ではガイダンスを戻してステップＳ８３に進む。一方、下キー１６ｂが押されていないと判定された場合はそのままステップＳ８３に進む。
【０１００】
ステップＳ８３では、ガイダンスキー２２が押されたか否かが判定される。ガイダンスキー２２が押されていないと判定された場合はステップＳ７９に戻る。一方、ガイダンスキー２２が押されたと判定された場合はステップＳ８４に進む。
【０１０１】
ステップＳ８４では、ガイダンスを消去しガイダンス表示モードから抜けてステップＳ６２に戻る。
【０１０２】
また、前述したステップＳ７８において、言語設定と導入言語とが一致していないと判定された場合はステップＳ８５に進む。ステップＳ８５では、エラーメッセージを表示してステップＳ８６に進む。ステップＳ８６では、ガイダンスキー２２が押されたか否かが判定される。ガイダンスキー２２が押されていないと判定された場合はステップＳ８６を繰り返し実行する。一方、ガイダンスキー２２が押されたと判定された場合は、上述したステップＳ８４に進む。
【０１０３】
本発明の第２実施形態の画像送受信システムでは、言語情報をデジタルカメラ２からパーソナルコンピュータ３００に送信し、そのパーソナルコンピュータ３００においてその言語情報に基づいてその言語情報によるガイダンス情報を選択してデジタルカメラ２に送信するため、デジタルカメラ２に設けられたガイダンス情報記憶部１００＿３を小さく抑えたまま、複数の言語で作成されたガイダンス情報に対応することができる。
【０１０４】
次に、本発明の第３実施形態の画像送受信システムについて説明する。
【０１０５】
図１２は、本発明の第３実施形態の画像送受信システムを構成するデジタルカメラの内部構成を示す図である。
【０１０６】
図１２に示すデジタルカメラ３は、本発明の撮影装置の第３実施形態に相当するものであり、このデジタルカメラ３の外観図は、図７に示すデジタルカメラ２の外観図と同じであるため図示省略する。
【０１０７】
図１２に示すデジタルカメラ３のＣＰＵ１００には、操作履歴を記憶しておく操作履歴記憶部１００＿４が備えられている。また、ＵＳＢ通信回路１２０は、デジタルカメラ３が接続されたパーソナルコンピュータ４００（図１３参照）に向けて、操作履歴記憶部１００＿４の記憶内容を送信する、本発明にいう操作履歴送信部の役割を担っている。
【０１０８】
図１３は、本発明の第３実施形態の画像送受信システムを構成するパーソナルコンピュータの概略回路ブロックを示す図である。
【０１０９】
図１３に示すパーソナルコンピュータ４００は、本発明の情報処理装置の第３実施形態に相当するものであり、このパーソナルコンピュータ４００のＵＳＢ通信装置２０６は、通信回線を介して、デジタルカメラ３の使用方法を案内するためのガイダンス情報の変更情報を受信する、本発明にいう変更情報受信部の役割を担うものである。
【０１１０】
また、パーソナルコンピュータ４００には、前述したガイダンス選択部２０７に加え、ＵＳＢ通信装置２０６で受信した変更情報に基づいて操作履歴記憶部１００＿４の記憶内容を変更するガイダンス変更部２０８が備えられている。尚、ここでは、パーソナルコンピュータ４００にガイダンス選択部２０７およびガイダンス変更部２０８を備えた例で説明するが、これらガイダンス選択部２０７およびガイダンス変更部２０８を、ＣＰＵ２０１とハードディスク装置２０３に格納された制御プログラムとの組合せで実現してもよい。
【０１１１】
図１４は、図１２に示すデジタルカメラの、操作履歴を記憶する際の操作手順を示す図である。
【０１１２】
先ず、ステップＳ９１において、機器の電源をオンする。次に、ステップＳ９２において、撮影モードか否かが判定される。撮影モードではないと判定された場合はステップＳ９３に進み、再生モードに移行する。尚、再生モードにおける処理についての説明は省略する。
【０１１３】
撮影モードであると判定された場合はステップＳ９４に進み、撮影モードに移行する。次に、ステップＳ９５において、ＯＫ／メニューボタン１７（図７参照）が押されたか否かが判定される。ＯＫ／メニューボタン１７が押されていないと判定された場合は、ステップＳ９６に進む。
【０１１４】
ステップＳ９６では、レリーズボタン１２が押されたか否かが判定される。レリーズボタン１２が押されていないと判定された場合は、ステップＳ９２に戻る。一方、レリーズボタン１２が押されたと判定された場合は、ステップＳ９７に進む。ステップＳ９７では、このデジタルカメラ３の内部に自動的に撮影条件が設定されて撮影が行なわれるＡＵＴＯ系の動作を行なう。
【０１１５】
次に、ステップＳ９８において、ＡＵＴＯ系の動作が終了したか否かが判定される。ＡＵＴＯ系の動作が終了していないと判定された場合は、このステップＳ９８を繰り返し実行する。一方、ＡＵＴＯ系の動作が終了したと判定された場合は、ステップＳ９９に進む。ステップＳ９９では撮影を実行してステップＳ９２に戻る。
【０１１６】
また、前述したステップＳ９５において、ＯＫ／メニューボタン１７が押されたと判定された場合はステップＳ１００に進む。ステップＳ１００では、上キー１６ａが押されたか否かが判定される。上キー１６ａが押されたと判定された場合は、ステップＳ１０１に進む。ステップＳ１０１ではメニュー項目を一つ進めて後述するステップＳ１０４に進む。一方、上キー１６ａが押されていないと判定された場合は、ステップＳ１０２に進む。
【０１１７】
ステップＳ１０２では、下キー１６ｂが押されたか否かが判定される。下キー１６ｂが押されたと判定された場合は、ステップＳ１０３に進む。ステップＳ１０３ではメニュー項目を一つ戻してステップＳ１０４に進む。一方、下キー１６ｂが押されていないと判定された場合は、そのままステップＳ１０４に進む。
【０１１８】
ステップＳ１０４では、レリーズボタン１２が押されたか否かが判定される。レリーズボタン１２が押されていないと判定された場合は、ステップＳ９２に戻る。一方、レリーズボタン１２が押されたと判定された場合は、ステップＳ１０５に進む。ステップＳ１０５では、上キー１６ａや下キー１６ｂで操作されたメニュー項目の設定を変更し、操作履歴を記憶してこの手順を終了する。
【０１１９】
図１５は、本発明の第３実施形態の画像送受信システムにおいて行なわれる、デジタルカメラのガイダンス情報の変更情報および操作履歴に関する手順を示す図である。
【０１２０】
先ず、ステップＳ１１１において、パーソナルコンピュータ４００（ＰＣと略記する）を起動する。次に、ステップＳ１１２において、デジタルカメラ３（機器と略記する）対応のアプリケーションを起動する。
【０１２１】
さらに、ステップＳ１１３において、機器をＵＳＢケーブルでＰＣに接続する。次いで、ステップＳ１１４において、機器の電源をオンにする。
【０１２２】
ステップＳ１１５では、機器とＰＣとの通信が可能になったか否かが判定される。機器とＰＣとの通信が可能になっていないと判定された場合は、ステップＳ１１５が繰り返し実行される。一方、機器とＰＣとの通信が可能になったと判定された場合は、ステップＳ１１６に進む。
【０１２３】
ステップＳ１１６では、ＰＣが機器から機器ファームバージョン情報（ガイダンス情報の変更情報）を取得し、ステップＳ１１７に進む。
【０１２４】
ステップＳ１１７では、ＰＣ内と同じ版（ＰＣ内の変更情報と同じ変更情報）か否かが判定される。ＰＣ内と同じ版であると判定された場合は、後述するステップＳ１２１に進む。一方、ＰＣ内と同じ版でないと判定された場合は、ステップＳ１１８に進む。
【０１２５】
ステップＳ１１８では、機器ファームのアップデート（ガイダンス情報の更新）を行なう。次いで、ステップＳ１１９において、その機器に対応する最新のガイダンスをその機器に導入してステップＳ１２０に進む。ステップＳ１２０では、バージョンアップ（ガイダンス情報の更新）を完了して、ステップＳ１２１に進む。ステップＳ１２１では、ガイダンス履歴（ガイダンスの操作履歴）を読み込み、ステップＳ１２２に進む。
【０１２６】
ステップＳ１２２では、ガイダンス履歴に基づいて５０回以上使用したガイダンス情報のモードがあるか否かが判定される。５０回以上使用したモードがないと判定された場合は、後述するステップＳ１２５に進む。一方、５０回以上使用したモードがあると判定された場合は、ステップＳ１２３に進む。
【０１２７】
ステップＳ１２３では、バージョンアップ後も変更が無い機能であるか否かが判定される。バージョンアップ後も変更が無い機能であると判定された場合は、ユーザは操作に習熟したと見なし、ステップＳ１２４において、ガイダンス情報記憶部１００＿３から当該モードにおける項目を削除してステップＳ１２２に戻る。
【０１２８】
ステップＳ１２５では、未転送画像があるか否かが判定される。未転送画像があると判定された場合はステップＳ１２６に進む。ステップＳ１２６では、機器からＰＣへ画像を転送してステップＳ１２５に戻る。一方、未転送画像がないと判定された場合はステップＳ１２７に進む。ステップＳ１２７では、機器の接続を解除する。次いで、ステップＳ１２８において、ユーザに対して導入完了案内を行なってこの手順を終了する。
【０１２９】
本発明の第３実施形態の画像送受信システムでは、デジタルカメラ３において５０回以上所要のガイダンス情報に関する項目の操作を行なった場合、そのデジタルカメラ３ではユーザはその項目の操作に習熟したと見なし、その項目はガイダンス情報記憶部１００＿３から削除される。このため、ユーザの感じる煩わしさを軽減することができる。
【０１３０】
また、デジタルカメラ３の使用方法を案内するためのガイダンス情報が変更された場合であっても、その変更されたガイダンス情報をデジタルカメラ３に送信することができる。従って、デジタルカメラ３に最新のガイダンス情報を取り込むことができる。
【０１３１】
尚、上述した実施形態では、本発明にいう撮影装置としてデジタルカメラの例で説明したが、このようなデジタルカメラの機能が組み込まれた携帯電話やＰＤＡであってもよく、さらにこれらに限られるものでもなく、本発明にいう撮影装置は、撮影を行なう撮影装置であればよい。
【０１３２】
また、上述した実施形態では、本発明にいう情報処理装置としてパーソナルコンピュータの例で説明したが、これに限られるものではなく、本発明にいう情報処理装置は、撮影装置に切断自在に接続されてその撮影装置から画像データを受け取る情報処理装置であればよい。
【図面の簡単な説明】
【０１３３】
【図１】本発明の第１実施形態の画像送受信システムを示す図である。
【図２】図１に示すデジタルカメラを上方から見た上面図、正面から見た正面図、および背面から見た背面図である。
【図３】図１に示すデジタルカメラの内部構成を示す図である。
【図４】図１に示すパーソナルコンピュータの概略回路ブロックを示す図である。
【図５】図１に示す画像送受信システムにおいて、ユーザがデジタルカメラを購入して最初に使用する前に行なわれる手順を示す図である。
【図６】図３に示すデジタルカメラの、ガイダンス情報を見る際の操作手順を示す図である。
【図７】本発明の第２実施形態の画像送受信システムを構成するデジタルカメラを上方から見た上面図、正面から見た正面図、および背面から見た背面図である。
【図８】図７に示すデジタルカメラの内部構成を示す図である。
【図９】本発明の第２実施形態の画像送受信システムを構成するパーソナルコンピュータの概略回路ブロックを示す図である。
【図１０】本発明の第２実施形態の画像送受信システムにおいて、ユーザがデジタルカメラを購入して最初に使用する前に行なわれる手順を示す図である。
【図１１】図８に示すデジタルカメラの、ガイダンス言語を設定する際の操作手順を示す図である。
【図１２】本発明の第３実施形態の画像送受信システムを構成するデジタルカメラの内部構成を示す図である。
【図１３】本発明の第３実施形態の画像送受信システムを構成するパーソナルコンピュータの概略回路ブロックを示す図である。
【図１４】図１２に示すデジタルカメラの、操作履歴を記憶する際の操作手順を示す図である。
【図１５】本発明の第３実施形態の画像送受信システムにおいて行なわれる、デジタルカメラのガイダンス情報の変更情報および操作履歴に関する手順を示す図である。
【符号の説明】
【０１３４】
１，２，３  デジタルカメラ
１ａ  カメラボディ
１０  レンズ鏡胴
１０＿１００  操作子群
１１  パワーボタン
１２  レリーズボタン
１２＿１  撮影モードダイヤル
１３  液晶モニタ
１４  再生ボタン
１５  Ｆボタン
１６  十字キー
１６ａ  上キー
１６ｂ  下キー
１６ｃ  左キー
１６ｄ  右キー
１７  ＯＫ／メニューボタン
１８  ズームスイッチ
２１  ＤＳＰ／ＢＡＣＫボタン
２２  ガイダンスキー
２３  言語設定キー
１００，２０１  ＣＰＵ
１００＿１  プログラム記憶部
１００＿２  内蔵メモリ
１００＿３  ガイダンス情報記憶部
１００＿４  操作履歴記憶部
１０１ｃ，１０１２  モータ
１０１ｄ，１０１３  ドライバ
１０１ａ  撮影レンズ
１０１ｂ  センサ
１０９  液晶ドライブ回路
１１０  ＣＣＤ
１１１  ＣＤＳＡＭＰ
１１２  Ａ／Ｄ変換部
１１３  画像信号処理回路
１１４  圧縮・伸張処理回路
１１５  メディアコントロール回路
１１６  音声処理回路
１１７  画像再生処理回路
１１８  ビデオエンコード回路
１２０  ＵＳＢ通信回路
１３０  ＡＦ検出回路
１３１  ＡＥ＆ＷＢ検出回路
１４０  記憶メディア
１５０  マイクロフォン
１６０  ＴＶモニタ端子
１７０  ＵＳＢ端子
１８０  スピーカ
１９０  測光センサ
１９１  閃光発光窓
２００，３００，４００  パーソナルコンピュータ
２０２  主メモリ
２０３  ハードディスク装置
２０３ａ  ガイダンス記憶部
２０４  フレキシブルディスクドライブ
２０４＿１  フレキシブルディスク
２０５  ＣＤ−ＲＯＭドライブ
２０５＿１  ＣＤ−ＲＯＭ
２０６  ＵＳＢ通信装置
２０７  ガイダンス選択部
２０８  ガイダンス変更部
２１０  本体部
２１１  ＣＤ−ＲＯＭ装填口
２１２  フレキシブルディスク装填口
２１３  電源スイッチ
２１５  バス
２２０  画像表示装置
２２０ａ  表示画面
２３０  キーボード
２４０  マウス
３００  ＵＳＢケーブル
３０１，３０２  ＵＳＢコネクタ
１０００  画像送受信システム
１０１１  レンズバリア
１０１１ａ  バリアセンサ
【図１】
2008085853.tif 000003
【図２】
2008085853.tif 000004
【図３】
2008085853.tif 000005
【図４】
2008085853.tif 000006
【図５】
2008085853.tif 000007
【図６】
2008085853.tif 000008
【図７】
2008085853.tif 000009
【図８】
2008085853.tif 000010
【図９】
2008085853.tif 000011
【図１０】
2008085853.tif 000012
【図１１】
2008085853.tif 000013
【図１２】
2008085853.tif 000014
【図１３】
2008085853.tif 000015
【図１４】
2008085853.tif 000016
【図１５】
2008085853.tif 000017